(57)【要約】【課題】マルチ型空気調和機にあって、室内の空気温度が設定温度より高くなる過暖房などを防止して、室内の空気温度を設定温度に保つことができるようにすること。【解決手段】マルチ型空気調和機は、１台の室外ユニットＯと複数台の室内ユニットＩとを備える。室外ユニットは冷媒を圧縮する圧縮機１０を有する。一方、室内ユニットは、圧縮機から冷媒を供給し、冷媒が有する熱と室内の空気が有する熱とを熱交換する室内熱交換器１４、吸い込んだ室内の空気を室内熱交換器内を通して送り出す室内送風機、室内の空気温度を検知する室内温度検知手段ＴＡなどを有する。そして、室内送風機を所定時間運転して後、前記室内ユニットの室内温度検知手段で室内の空気温度を検知し、その検知結果に基づいて暖房待機状態から通常暖房運転への復帰判断を行う。【選択図】        図１
2005351551.tif 000002
【特許請求の範囲】
【請求項１】
冷媒を圧縮する圧縮機を有する室外ユニットを少なくとも１台備えるとともに、その圧縮機から冷媒を供給し、冷媒が有する熱と室内の空気が有する熱とを熱交換する室内熱交換器と、室内の空気温度を検知する室内温度検知手段とをそれぞれ有する室内ユニットを複数台備え、
前記室内ユニットの前記室内温度検知手段で室内の空気温度を検知し、その検知結果に基づいて暖房待機状態から通常暖房運転への復帰判断を行うことを特徴とするマルチ型空気調和機。
【請求項２】
前記室内ユニットは、前記室内熱交換器内を通して吸い込んだ室内の空気を送り出す室内送風機を備えるとともに、
前記室内送風機を所定時間運転して後、前記室内ユニットの前記室内温度検知手段で室内の空気温度を検知し、その検知結果に基づいて暖房待機状態から通常暖房運転への復帰判断を行うことを特徴とする請求項１に記載のマルチ型空気調和機。
【請求項３】
前記圧縮機を運転して他の前記室内ユニットの前記室内熱交換器に冷媒を循環しているとき、
前記室内ユニットが備える前記室内熱交換器の温度を検知する熱交換器温度検知手段の検知結果に基づき、その検知結果に対応して前記室内ユニットの前記室内送風機を所定時間運転して後、前記室内ユニットが備える前記室内温度検知手段で室内の空気温度を検知し、その検知結果に基づいて暖房待機状態から通常暖房運転への復帰判断を行うことを特徴とする請求項１又は２に記載のマルチ型空気調和機。
【請求項４】
前記圧縮機を運転して他の前記室内ユニットの前記室内熱交換器に冷媒を循環しているとき、
前記室内ユニットの前記室内送風機から送り出す空気量を少なくして所定時間、予備運転を行ってから、
前記室内ユニットの前記熱交換器温度検知手段の検知結果に基づき、その検知結果に対応して前記室内送風機を所定時間運転して後、前記室内ユニットの前記室内温度検知手段で室内の空気温度を検知し、その検知結果に基づいて暖房待機状態から通常暖房運転への復帰判断を行うことを特徴とする請求項３に記載のマルチ型空気調和機。
【請求項５】
前記圧縮機を運転せず、かつ他の前記室内ユニットが備える前記室内熱交換器に冷媒が循環していないとき、
前記室内ユニットの前記室内送風機から送り出す空気量を少なくして所定時間運転して後、前記室内ユニットの前記室内温度検知手段で室内の空気温度を検知し、その検知結果に基づいて暖房待機状態から通常暖房運転への復帰判断を行うことを特徴とする請求項１又は２に記載のマルチ型空気調和機。
【請求項６】
暖房待機状態から通常暖房運転への復帰判断を行う際には、前記室内送風機が吸い込む室内の空気のうち、前記室内送風機から送り出す空気の割合を前記復帰判断前よりも低減させるように、前記室内送風機から送り出すことを特徴とする請求項１〜５のいずれか１項に記載のマルチ型空気調和機。
【請求項７】
前記室内熱交換器に対向しない位置に、前記室内温度検知手段を配置することを特徴とする請求項１〜６のいずれか１項に記載のマルチ型空気調和機。
【発明の詳細な説明】
【技術分野】
【０００１】
本発明は、少なくとも１台の室外ユニットと、複数台の室内ユニットとを備えるマルチ型空気調和機に関するものである。
【背景技術】
【０００２】
空気調和機は、家屋やビルディングその他の内部空間における空気の温度や湿度を適切に調整するため、広く使用されている。近年においては、少なくとも１台の室外ユニットで複数台の室内ユニットを駆動する、いわゆるマルチ型空気調和機が広く使用されている。特許文献１に開示されているように、一般に空気調和機では、室内空気の温度に基づいて運転モードを切り替える運転制御方法が知られている。前記マルチ型の空気調和機に対しても、同様の制御方法が適用されることがある。
【０００３】
図５は、従来のマルチ型空気調和機の概略構成を示す図である。図示するように、この空気調和機は、符号Ｏで示す１台の室外ユニットと、符号Ｉで示す２台の室内ユニットとを備える。室外ユニットＯには、圧縮機１を１台、室外熱交換器２を１台、膨張弁３を２つ設ける。そして、それら圧縮機１の吐出側と室外熱交換器２とを四方弁４を介して配管で接続する。また、室外熱交換器２と各膨張弁３とを配管でそれぞれ接続する。
【０００４】
一方、各室内ユニットＩには、室内熱交換器５を１台、それぞれに設ける。そして、それら各室内熱交換器５と各膨張弁３とを配管でそれぞれ接続する。また、各室内熱交換器５と圧縮機１の吸込側とを四方弁４を介して配管でそれぞれ接続する。そして、それら圧縮機１、室外熱交換器２、膨張弁３、各室内熱交換器５、配管内などには冷媒を封入する。また、室外ユニットＯの室外熱交換器２の近傍には、室外の空気を吸い込んで後、室外熱交換器２内を通してから送り出す、不図示の室外送風機を設ける。
【０００５】
一方、室内ユニットＩの室内熱交換器５の近傍には、室内の空気を吸い込んで後、室内熱交換器５内を通してから送り出す、不図示の室内送風機を設ける。その室内ユニットＩには、図６に示すように、室内の空気温度を検知する室内温度検知手段６を設ける。そして、このような図５に示すマルチ型空気調和機を、暖房時に使用する場合、先ず、いずれか１の室内ユニットＩの不図示のリモコンに室内の空気温度を設定してからオンして、前記室内ユニットＩを駆動するとともに、室外ユニットＯを駆動する。すると、室外では、四方弁４を暖房側に切り替えて後、室外送風機を駆動するとともに、室内では、室内送風機を駆動する。
【０００６】
また、室外ユニットＯを駆動すると、圧縮機１で、気化した冷媒を圧縮して高温高圧とし、その冷媒を、四方弁４を介して前記室内ユニットＩの室内熱交換器５に供給する。その供給された高温高圧の冷媒は、室内熱交換器５において、室内送風機によって通す空気により冷やされて液体となる。一方、室内送風機によって室内熱交換器５内を通す空気は、高温高圧の冷媒によって暖められる。
【０００７】
他方、室内熱交換器５で液体となった冷媒は、その後、膨張弁３で減圧して低圧にする。その冷媒は、室外熱交換器２において、室外送風機によって通す空気により気化してから、四方弁４を介して圧縮機１に戻る。そして、上述で説明したように、気化した冷媒を、圧縮機１で圧縮して高温高圧として後、室内熱交換器５に供給して液化してから、膨張弁３で低圧の状態にして後、室外熱交換器２に供給して気化してから、圧縮機１に戻す暖房サイクルを繰り返す。
【０００８】
この暖房サイクルにおいて、室内の空気は、室内熱交換器５で高温高圧の冷媒によって暖められる。その暖房サイクルの繰り返しにより、室内の空気温度が上昇する。やがて、室内温度検知手段６が設定温度となったことを検知すると通常暖房運転を終了する。通常暖房運転を終了すると同時に、膨張弁３を絞って、前記室内ユニットＩを暖房待機状態とする。そして、暖房待機状態とした後、例えば３分経過した後など、一定時間を経過した後、膨張弁３を開き、通常暖房運転に強制的に復帰して、室内の温度が設定温度以下となることを防止していた。
【０００９】
【特許文献１】特開平１０−３３２１８６号公報
【発明の開示】
【発明が解決しようとする課題】
【００１０】
しかしながら、上述したようなマルチ型空気調和機では、一定時間経過後に強制的に、暖房待機状態から通常暖房運転に復帰させるので、室内の温度が設定温度に対してそれほど低くなっていない場合にあっても通常暖房運転するため、室内の温度が設定温度よりも高くなって過暖房となるなど、室内の空気温度を設定温度に保つことができない問題があった。
【００１１】
また、一定時間経過後に強制的に復帰させず、室内の空気温度の検出値で復帰判定させる方法では、室内熱交換器内の冷媒が有する熱の影響を受け、設定温度より高い温度を検知してしまい、通常暖房運転に復帰できず、実際の室内の空気温度が低くても暖房運転ができないことによる不暖房となる問題があった。
【００１２】
そこで、本発明は、上記に鑑みてなされたものであって、マルチ型空気調和機にあって、室内の空気温度が高くなる過暖房などを防止して、室内の空気温度を設定温度に保つことができる空気調和機を提供することを目的とする。
【課題を解決するための手段】
【００１３】
上述した目的を達成するため、本発明に係るマルチ型空気調和機は、冷媒を圧縮する圧縮機を有する室外ユニットを少なくとも１台備えるとともに、その圧縮機から冷媒を供給し、冷媒が有する熱と室内の空気が有する熱とを熱交換する室内熱交換器と、室内の空気温度を検知する室内温度検知手段とをそれぞれ有する室内ユニットを複数台備え、前記室内ユニットの前記室内温度検知手段で室内の空気温度を検知し、その検知結果に基づいて暖房待機状態から通常暖房運転への復帰判断を行うことを特徴とする。
【００１４】
このマルチ型空気調和機は、前記室内ユニットの室内温度検知手段で室内の空気温度を検知し、その検知結果に基づいて暖房待機状態から通常暖房運転への復帰判断を行うので、例えば一定時間を経過した後、暖房待機状態から通常暖房運転に強制的に復帰することを不要にできるから、室内の空気温度が高くなる過暖房などを防止して、室内の空気温度を設定温度に保つことができる。
【００１５】
ここで、通常暖房運転とは、圧縮機から１の室内ユニットの室内熱交換器に冷媒を供給する運転をいう。また、暖房待機状態とは、前記通常暖房運転を行って前記室内温度検知手段が設定温度となった後、前記室内ユニットの前記室内熱交換器に供給する冷媒の量を所定量以下循環させている状態をいう。この暖房待機状態の室内ユニットに所定量以下の冷媒を循環させることにより、停止している室内ユニットに冷媒が溜まり込み、冷凍サイクルとして冷媒不足に至らないようにすることができる。
【００１６】
次の本発明に係るマルチ型空気調和機は、前記マルチ型空気調和機において、前記室内ユニットは、前記室内熱交換器内を通して吸い込んだ室内の空気を送り出す室内送風機を備えるとともに、前記室内送風機を所定時間運転して後、前記室内ユニットの前記室内温度検知手段で室内の空気温度を検知し、その検知結果に基づいて暖房待機状態から通常暖房運転への復帰判断を行うことを特徴とする。
【００１７】
このマルチ型空気調和機は、前記マルチ型空気調和機の構成を備えるので、前記マルチ型空気調和機と同様の作用、効果を奏する。さらに、このマルチ型空気調和機では、室内ユニットが備え、吸い込んだ室内の空気を室内熱交換器内を通して送り出す室内送風機を所定時間運転して後、前記室内ユニットの室内温度検知手段で室内の空気温度を検知し、その検知結果に基づいて暖房待機状態から通常暖房運転への復帰判断を行うので、前記室内ユニット内に熱が蓄えられていた場合にあっても、その熱を前記室内ユニットの外へ逃がすことができるから、室内温度検知手段で検知する温度を正確として、室内の空気温度を設定温度に、確実に保つことができる。また、室内送風機を所定時間運転してから室内の空気温度を検知するから、室内熱交換器内の冷媒が有する熱の影響を少なくでき、それにより室内温度検知手段で検知する温度を正確として、室内の空気温度を設定温度に確実に保つことができる。
【００１８】
次の本発明に係るマルチ型空気調和機は、前記マルチ型空気調和機において、前記圧縮機を運転して他の前記室内ユニットの前記室内熱交換器に冷媒を循環しているとき、前記室内ユニットが備える前記室内熱交換器の温度を検知する熱交換器温度検知手段の検知結果に基づき、その検知結果に対応して前記室内ユニットの前記室内送風機を所定時間運転して後、前記室内ユニットが備える前記室内温度検知手段で室内の空気温度を検知し、その検知結果に基づいて暖房待機状態から通常暖房運転への復帰判断を行うことを特徴とする。
【００１９】
このマルチ型空気調和機は、前記マルチ型空気調和機の構成を備えるので、前記マルチ型空気調和機と同様の作用、効果を奏する。さらに、このマルチ型空気調和機では、圧縮機を運転して他の室内ユニットの室内熱交換器に冷媒を循環しているとき、前記室内ユニットの室内熱交換器の温度を検知する熱交換器温度検知手段の検知結果に基づき、その検知結果に対応して前記室内ユニットの室内送風機を所定時間運転して後、前記室内ユニットの室内温度検知手段で室内の空気温度を検知し、その検知結果に基づいて暖房待機状態から通常暖房運転への復帰判断を行うので、仮に、暖房待機状態としている前記室内ユニットの室内熱交換器にわずかに冷媒が供給されても、その冷媒が有する熱に対応して室内送風機を運転して前記室内ユニット内に蓄えられる熱を逃すことができるから、前記室内ユニットの室内温度検知手段で検知する温度を正確として、室内の空気温度を設定温度に保つことができる。
【００２０】
次の本発明に係るマルチ型空気調和機は、前記マルチ型空気調和機において、前記圧縮機を運転して他の前記室内ユニットの前記室内熱交換器に冷媒を循環しているとき、前記室内ユニットの前記室内送風機から送り出す空気量を少なくして所定時間、予備運転を行ってから、前記室内ユニットの前記熱交換器温度検知手段の検知結果に基づき、その検知結果に対応して前記室内送風機を所定時間運転して後、前記室内ユニットの前記室内温度検知手段で室内の空気温度を検知し、その検知結果に基づいて暖房待機状態から通常暖房運転への復帰判断を行うことを特徴とする。
【００２１】
このマルチ型空気調和機は、前記マルチ型空気調和機の構成を備えるので、前記マルチ型空気調和機と同様の作用、効果を奏する。さらに、このマルチ型空気調和機では、圧縮機を運転して他の室内ユニットの室内熱交換器に冷媒を循環しているとき、前記室内ユニットの室内送風機から送り出す空気量を少なくして所定時間、予備運転を行ってから、前記室内ユニットの熱交換器温度検知手段の検知結果に基づき、その検知結果に対応して室内送風機を所定時間運転して後、前記室内ユニットの室内温度検知手段で室内の空気温度を検知し、その検知結果に基づいて暖房待機状態から通常暖房運転への復帰判断を行う。これにより、室内送風機から送り出す空気量を少なくする予備運転を行って後、熱交換器温度検知手段の検知結果に対応して室内送風機を運転することができるから、室内送風機の立ち上げを緩やかとして、室内送風機に係る負担を小さくすることができるから、室内送風機の寿命を長くすることができる。
【００２２】
加えて、室内送風機から送り出す空気量を少なくする予備運転を行って後、熱交換器温度検知手段の検知結果に対応して室内送風機を運転することができるから、室内送風機の立ち上げを緩やかとし、室内送風機から発生する騒音をはじめは小さくすることができるので、ユーザの耳触りを良好とすることができる。
【００２３】
さらに加えて、室内送風機から送り出す空気量を少なくする予備運転を行って後、熱交換器温度検知手段の検知結果に対応して室内送風機を運転することができるから、室内熱交換器がそれほど熱を有しておらず、予備運転を行うことによって室内の空気温度を正確に検知できる場合には、予備運転の後に室内送風機を運転することを不要にできるから、室内送風機で消費する電力を少なくすることができる。
【００２４】
次の本発明に係るマルチ型空気調和機は、前記マルチ型空気調和機において、前記圧縮機を運転せず、かつ他の前記室内ユニットが備える前記室内熱交換器に冷媒が循環していないとき、前記室内ユニットの前記室内送風機から送り出す空気量を少なくして所定時間運転して後、前記室内ユニットの前記室内温度検知手段で室内の空気温度を検知し、その検知結果に基づいて暖房待機状態から通常暖房運転への復帰判断を行うことを特徴とする。
【００２５】
このマルチ型空気調和機は、前記マルチ型空気調和機の構成を備えるので、前記マルチ型空気調和機と同様の作用、効果を奏する。さらに、このマルチ型空気調和機では、圧縮機を運転せずに他の室内ユニットの室内熱交換器に冷媒を循環していないとき、前記室内ユニットの室内送風機から送り出す空気量を少なくして所定時間運転して後、前記室内ユニットの室内温度検知手段で室内の空気温度を検知し、その検知結果に基づいて暖房待機状態から通常暖房運転への復帰判断を行う。これにより、仮に、暖房待機状態としている前記室内ユニットの室内熱交換器内の冷媒が熱を有していたとしても、室内送風機を運転して、前記室内ユニット内に蓄えられる熱を逃すことができるから、前記室内ユニットの室内温度検知手段で検知する温度を正確として、室内の空気温度を設定温度に保つことができる。
【００２６】
次の本発明に係るマルチ型空気調和機は、前記マルチ型空気調和機において、暖房待機状態から通常暖房運転への復帰判断を行う際には、前記室内送風機が吸い込む室内の空気のうち、前記室内送風機から送り出す空気の割合を前記復帰判断前よりも低減させるように、前記室内送風機から送り出すことを特徴とする。
【００２７】
このマルチ型空気調和機は、前記マルチ型空気調和機の構成を備えるので、前記マルチ型空気調和機と同様の作用、効果を奏する。さらに、このマルチ型空気調和機では、室内送風機が吸い込む室内の空気のうち、室内送風機から送り出す空気の割合を低減させるので、暖められた空気が吸い込まれて室内温度検知手段の検知結果が不正確となることを防止することができる。その結果、室内の空気温度を設定温度に保つことを一層確実とすることができる。
【００２８】
次の本発明に係るマルチ型空気調和機は、前記マルチ型空気調和機において、前記室内熱交換器に対向しない位置に、前記室内温度検知手段を配置することを特徴とする。
【００２９】
このマルチ型空気調和機は、前記マルチ型空気調和機の構成を備えるので、前記マルチ型空気調和機と同様の作用、効果を奏する。さらに、このマルチ型空気調和機では、室内熱交換器に対向しない位置に、室内温度検知手段を配置する。これによって、室内熱交換器内の冷媒の輻射熱等によって室内温度検知手段の検知結果が不正確となることを一層確実に防止することができるから、室内の空気温度を設定温度に保つことをより一層確実とすることができる。
【発明の効果】
【００３０】
本発明に係るマルチ型空気調和機は、室内の空気温度が高くなる過暖房などを防止して、室内の空気温度を設定温度に保つことができるという効果を奏する。
【発明を実施するための最良の形態】
【００３１】
以下、本発明につき図面を参照しつつ詳細に説明する。なお、発明を実施するための最良の形態により、本発明が限定されるものではない。また、下記実施例における構成要素には、当業者が容易に想定できるものあるいは実質的に同一のものが含まれる。
【実施例】
【００３２】
図１は、この実施例に係る本発明によるマルチ型空気調和機の概略構成を示す図である。図示するように、この空気調和機は、符号Ｏで示す室外ユニットと、符号Ｉで示す４台の室内ユニットとを備える。室外ユニットＯには、例えば能力可変式の圧縮機１０を１台、冷媒が有する熱と室外の空気が有する熱とを熱交換する室外熱交換器１２を１台、減圧器である電動式膨張弁１３を４つ設ける。そして、それら圧縮機１０の吐出側と室外熱交換器１２とを四方弁１１を介して配管で接続する。また、室外熱交換器１２と各電動式膨張弁１３とを配管でそれぞれ接続する。
【００３３】
一方、各室内ユニットＩには、冷媒が有する熱と室内の空気が有する熱とを熱交換する室内熱交換器１４を１台、それぞれに設ける。そして、それら各室内熱交換器１４と各電動式膨張弁１３とを配管でそれぞれ接続する。また、各室内熱交換器１４と圧縮機１０の吸込側とを四方弁１１を介して配管でそれぞれ接続する。そして、それら圧縮機１０、室外熱交換器１２、電動式膨張弁１３、各室内熱交換器１４、配管内などには冷媒を封入する。その冷媒には、例えばフロンＲ―４１０Ａ等の代替フロンを用いる。
【００３４】
室外ユニットＯの室外熱交換器１２の近傍には、室外の空気を吸い込んで後、室外熱交換器１２内を通してから送り出す、不図示の室外送風機を設ける。図２は、この実施例に係る空気調和機が備える室内ユニットＩを示す斜視図である。図示するように、室内ユニットＩは、上方に開閉自在な第１前面パネル２１ａと、固定の第２前面パネル２１ｂとを有する。そして、室内ユニットＩは例えば室内の壁面に設置する。
【００３５】
図３は、この実施例に係る室内ユニットＩの中央での断面を示す断面図である。その室内ユニットＩの第２前面パネル２１ｂには、図中右側の端に、室内の空気温度を検知する室内温度検知手段ＴＡを設け、図中右側の端を除く全面にエアフィルタ２６を設ける。図示するように、室内ユニットＩの内部には、円筒状の室内送風機２２を設ける。その室内送風機２２の側面には、等間隔に複数のブレード２２ａを設け、両端には、不図示の円盤状の支持部材を設け、その支持部材でブレード２２ａを回動自在に支持する。
【００３６】
また、室内送風機２２の一方の端の近傍には、不図示の駆動源を設ける。その駆動源は、例えば制御装置にて任意の速度（回転数）を設定することが可能である。そして、その制御装置によって室内送風機２２の回転数を変更し、室内送風機２２で送り出す空気量を変更する。
【００３７】
図示する室内ユニットＩの前面及び上面には、室内の空気を吸い込む吸込口２３ａ、２３ｂを設ける一方、下面には、室内送風機２２から送り出す空気をガイドするガイド板２４ａ、２４ｂを設けるとともに、室内送風機２２で送り出す空気の送出口２３ｃを設ける。そして、図示するように、吸込口２３ａ、２３ｂにはそれぞれスリットを設ける。一方、送出口２３ｃには、送り出す空気を導くルーバ２５を回動自在に設ける。
【００３８】
また、室内ユニットＩの内部には、室内送風機２２を囲むように例えば３つの室内熱交換器１４を配置する。そして、それらの室内熱交換器１４と対向しない位置に、図１に示す室内温度検知手段ＴＡを配置する。また、図１に示すように、各室内熱交換器１４には、室内熱交換器１４の例えば一方の端と他方の端とに熱交換器温度検知手段ＴＲ１、ＴＲ２をそれぞれ設け、それぞれの個所での室内熱交換器１４の温度を検知する。図６に示す従来のマルチ型空気調和機が備える室内ユニットでは、室内熱交換器に対向する位置に室内温度検知手段６を配置していた。そのような配置では、図１に示す室内熱交換器５内の冷媒の輻射熱等によって室内の空気温度を正確に検知できず、それにより室内の空気温度を設定温度に保つことができなかった。しかし、室内熱交換器１４と対向しない位置に室内温度検知手段ＴＡを設ければ、室内熱交換器内の冷媒の輻射熱等によって室内温度検知手段の検知結果が不正確となることを一層確実に防止することができる。その結果、室内の空気温度を設定温度に保つことをより一層確実とすることができる。ここで、図６は、従来のマルチ型空気調和機が備える室内ユニットを示す斜視図である。
【００３９】
なお、図示例のマルチ型空気調和機にあっては、圧縮機１０の吐出側と四方弁１１との間に、冷媒中に含まれる油を除去する油分離器１７を設ける。また、四方弁１１と圧縮機１０の吸込側との間に、圧縮機１０内に、液体の冷媒が流入することを防止するアキュムレータ１８を２台設ける。さらに、電動式膨張弁１３と室内熱交換器１４との間に、冷媒中に含まれる異物を除去するストレーナ１９を設ける。また、冷房時、蒸発器として働く室内熱交換器１４、及び暖房時、蒸発器として働く室外熱交換器１２へ供給する冷媒に、一定の圧力損失を与えて冷媒分配を適正化するキャピラリーチューブ２０を適宜の個所に設ける。
【００４０】
さて、いま、このようなマルチ型空気調和機を暖房に使用する場合、先ず、いずれか１の室内ユニットＩの不図示のリモコンに室内の空気温度を設定してからオンして、前記室内ユニットＩを駆動するとともに、室外ユニットＯを駆動する。すると、室外では、四方弁１１を暖房側に切り替えて後、室外送風機を駆動する。一方、室内では、図３に示す室内送風機２２を駆動する。すなわち、不図示の駆動源によって室内送風機２２を、図中の矢印方向に回転し、吸込口２３ａ、２３ｂから室内の空気を吸い込んで後、室内熱交換器１４内を通してから、ガイド板２４ａ、２４ｂでガイドしつつ送出口２３ｃからルーバ２６で導く方向に送り出す。
【００４１】
他方、図１に示す室外ユニットＯでは、圧縮機１０で、気化した冷媒を圧縮して高温高圧とし、その冷媒を、四方弁１１を介して前記室内ユニットＩの室内熱交換器１４に供給する。その供給された高温高圧の冷媒は、室内熱交換器１４において、室内送風機２２によって通す空気により冷やされて液体となる。一方、室内送風機２２によって、室内熱交換器１４内を通す空気は、高温高圧の冷媒によって暖められる。
【００４２】
室内熱交換器１４で液体となった冷媒は、その後、電動式膨張弁１３で減圧して低圧にする。その後、低圧にした冷媒は、レシーバ２８に流出する。その流出した冷媒は、室外熱交換器１２において、室外送風機によって通す空気により気化してから、四方弁１１、アキュムレータ１８を介して圧縮機１０に戻る。そして、上述したように、気化した冷媒を、圧縮機１０で圧縮して高温高圧として後、室内熱交換器１４に供給して液化してから、電動式膨張弁１３で低圧の状態にして後、室外熱交換器１２に供給して気化してから、圧縮機１０に戻す暖房サイクルを繰り返す。
【００４３】
この暖房サイクルにおいて、室内の空気は、室内熱交換器１４で高温高圧の冷媒によって暖められる。その暖房サイクルの繰り返しにより、室内の空気温度が上昇する。やがて、室内温度検知手段ＴＡが設定温度となったことを検知すると通常暖房運転を終了する。通常暖房運転を終了すると同時に、電動式膨張弁１３を暖房待機状態へ制御し、前記室内ユニットＩを暖房待機状態とする。
【００４４】
さて、このようにして１の前記室内ユニットＩを暖房待機状態とした後において、暖房待機状態から通常暖房運転への復帰判断を行う場合、先ず、圧縮機１０が運転していて他の室内ユニットＩの室内熱交換器１４へ冷媒が循環しているかを判断する。冷媒が循環している場合、先ず、図３に示す前記室内ユニットＩのルーバ２５を下向きにする。これにより、室内送風機２２に吸い込む室内の空気のうち、室内送風機２２から送り出す空気の割合を低減させることができる。
【００４５】
図４は、この実施例に係る室内ユニットＩが備える室内送風機２２を運転する駆動源の速度（回転数）、及び室内熱交換器の検知温度との関係を示す説明図である。次に、前記室内ユニットＩの駆動源の速度を１速として室内送風機２２を低回転数で駆動する。そのように駆動して、室内送風機２２の最大風量のおよそ１／４以下の風量として、室内送風機２２から送り出す空気量を少なくして１５秒間運転し、予備運転を行う。次いで、熱交換器温度検知手段ＴＲ１、ＴＲ２で室内熱交換器１４の温度を検知する。その検知温度に対応して室内送風機２２を４５秒間運転する。
【００４６】
すなわち、図４に示すように、検知温度が上昇中の場合、検知温度が、０℃以上でＴＵａ℃より小のとき室内送風機２２を１速で運転し、ＴＵａ℃以上でＴＵｂ℃より小のときは２速で、ＴＵｂ℃以上でＴＵｃ℃より小のときは３速で、ＴＵｃ℃以上でＴＵｄ℃より小のときは４速で、ＴＵｄ℃以上のときは５速で、室内送風機２２をそれぞれ運転する。
【００４７】
一方、検知温度が下降中の場合、検知温度が、ＴＤｄ℃以上のとき室内送風機２２を５速で運転し、ＴＤｄ℃より小でＴＤｃ℃以上のときは４速で、ＴＤｃ℃より小でＴＤｂ℃以上のときは３速で、ＴＤｂ℃より小でＴＤａ℃以上のときは２速で、ＴＤａ℃より小で０℃以上のときは１速で室内送風機２２を、それぞれ運転する。
【００４８】
このようにして、検知温度に対応して、温度が高い場合、駆動源の速度を大きくし、回転数を大きくして室内送風機２２を運転する一方、温度が低い場合、駆動源の速度を小さくし、回転数を小さくして室内送風機２２を運転する。そして、循環する高温高圧の冷媒の熱の影響を極めて少なくして後、室内温度検知手段ＴＡで室内の空気温度を検知し、その検知結果、すなわち検知した空気温度と設定温度との差に基づいて暖房待機状態から通常暖房運転への復帰判断を行う。
【００４９】
差が大きい場合、通常暖房運転へ復帰する。一方、差が小さい場合、所定時間、例えば２分３０秒経過後、先と同様にルーバ２５を下向きにし、室内送風機２２を予備運転して後、熱交換器温度検知手段ＴＲ１、ＴＲ２で室内熱交換器１４の温度を検知し、その検知結果に基づいて室内送風機２２を所定時間運転して後、室内温度検知手段ＴＡで室内の空気温度を検知して復帰判断を行う。
【００５０】
さて、圧縮機１０が停止中で室内ユニットＩの室内熱交換器１４に冷媒を循環していない場合、先ず、熱交換器温度検知手段ＴＲ１、ＴＲ２で室内熱交換器１４の温度を検知する。
【００５１】
次に、前記室内ユニットＩの駆動源の速度（回転数）をその検知温度に対応して室内送風機２２を駆動する。そのように駆動して、室内送風機２２を３０秒間運転する。そして、例えば前記室内ユニットＩの室内熱交換器１４内の冷媒が有する熱の影響を極めて少なくして後、室内温度検知手段ＴＡで室内の空気温度を検知し、その検知結果、すなわち検知した空気温度と設定温度との差に基づいて暖房待機状態から通常暖房運転への復帰判断を行う。
【００５２】
差が大きい場合、通常暖房運転へ復帰する。一方、差が小さい場合、所定時間、例えば２分３０秒経過後、前記と同様に、室内送風機２２を３０秒間運転して後、室内温度検知手段ＴＡで室内の空気温度を検知し、その検知結果に対応して室内送風機２２を所定時間運転して後、再度室内温度検知手段ＴＡで室内の空気温度を検知して復帰判断を行う。
【００５３】
または、例えば室内ユニットＩの駆動源の速度を１速として室内送風機２２を低回転数で駆動する予備運転を行って後、熱交換器温度検知手段ＴＲ１、ＴＲ２で室内熱交換器１４の温度を検知してから、室内温度検知手段ＴＡで室内の空気温度を検知し、上記した復帰判断を行っても良い。
【００５４】
なお、このような図１に示すマルチ型空気調和機にあって、各室内ユニットＩへ冷媒を供給する配管の途中には、室内ユニットＩをメンテナンス等するときに使用するメンテナンスバルブ２９、及びドレン弁付きメンテナンスバルブ３０を設ける。また、室外ユニットＯをメンテナンス等するときに使用するメンテナンスバルブ３１を、室外ユニットＯの配管の適宜の個所に設ける。
【産業上の利用可能性】
【００５５】
以上のように、本発明に係るマルチ型空気調和機は、暖房待機状態から通常暖房運転への復帰判断を行う際に有用である。
【図面の簡単な説明】
【００５６】
【図１】この実施例に係るマルチ型空気調和機の概略構成を示す図である。
【図２】この実施例に係る空気調和機が備える室内ユニットを示す斜視図である。
【図３】この実施例に係る室内ユニットの中央での断面を示す断面図である。
【図４】この実施例に係る室内ユニットが備える室内送風機を運転する駆動源の速度、及び室内熱交換器の検知温度との関係を示す説明図である。
【図５】従来のマルチ型空気調和機の概略構成を示す図である。
【図６】従来のマルチ型空気調和機が備える室内ユニットを示す斜視図である。
【符号の説明】
【００５７】
１０  圧縮機
１４  室内熱交換器
２２  室内送風機
Ｉ  室内ユニット
Ｏ  室外ユニット
ＴＡ  室内温度検知手段
ＴＲ１  熱交換器温度検知手段
ＴＲ２  熱交換器温度検知手段
【図１】
2005351551.tif 000003
【図２】
2005351551.tif 000004
【図３】
2005351551.tif 000005
【図４】
2005351551.tif 000006
【図５】
2005351551.tif 000007
【図６】
2005351551.tif 000008